(57)【要約】      （修正有）【課題】頭髪用エクステンションの施術時間を著しく短縮することができ、施術方法の便宜性を増大する。【解決手段】各々の複数の仮毛からなる第１毛髪部１１２及び第２毛髪部１１４と、一領域に所定の結び目が形成されており、前記第１毛髪部１１２及び第２毛髪部１１４を繋げるための連結部材１３０と、及び前記第１毛髪部１１２及び第２毛髪部１１４の各々を前記連結部材１３０に固定させるための第１固定部材１２２及び第２固定部材１２４を備えた複数の頭髪用エクステンションを含み、結び目１３２と第１固定部材１２２及び第２固定部材１２４との間には各々隣接した頭髪用エクステンションを引っ張るための第１張力部材３１０及び第２張力部材３２０が繋げられている頭髪用エクステンション施術用の頭髪用エクステンションのパッケージ１０００を提供する。【選択図】図１
2012167390.tif 000002
【特許請求の範囲】
【請求項１】
各々の複数の仮毛からなる第１毛髪部及び第２毛髪部と、
一領域に所定の結び目が形成されており、前記第１毛髪部及び第２毛髪部を繋げるための連結部材と、
及び前記第１毛髪部及び第２毛髪部の各々を前記連結部材に固定させるための第１固定部材及び第２固定部材を備えた複数の頭髪用エクステンションを含み、
前記結び目と前記第１固定部材及び第２固定部材との間には各々隣接した頭髪用エクステンションを引っ張るための第１張力部材及び第２張力部材が繋げられている頭髪用エクステンション施術用の頭髪用エクステンションのパッケージ。
【請求項２】
互いに隣接した２つの頭髪用エクステンションを含むことを特徴とする請求項１に記載の頭髪用エクステンション施術用の頭髪用エクステンションのパッケージ。
【請求項３】
前記第１固定部材及び第２固定部材は磁性物質を含むことを特徴とする請求項１に記載の頭髪用エクステンション施術用の頭髪用エクステンションのパッケージ。
【請求項４】
前記第１張力部材及び第２張力部材は各々隣接した頭髪用エクステンションの第１固定部材の間及び第２固定部材の間に繋げられていることを特徴とする請求項１に記載の頭髪用エクステンション施術用の頭髪用エクステンションのパッケージ。
【請求項５】
前記第１張力部材及び第２張力部材は前記第１固定部材と前記結び目との間及び前記第２固定部材と前記結び目との間に、前記連結部材に沿って移動できることを特徴とする請求項１に記載の頭髪用エクステンション施術用の頭髪用エクステンションのパッケージ。
【請求項６】
前記第１張力部材及び第２張力部材は弾性体または糸であることを特徴とする請求項１に記載の頭髪用エクステンション施術用の頭髪用エクステンションのパッケージ。
【請求項７】
前記結び目は１次リボン結び及び２次１．５回転結びによって３つの輪を含む二重結び目であることを特徴とする請求項１に記載の頭髪用エクステンション施術用の頭髪用エクステンションのパッケージ。
【請求項８】
頭髪用エクステンション施術用の器具として、
取っ手、
及び前記取っ手の末端部から延長され、分岐した少なくとも２つのスキル針を含み、
前記スキル針の末端には鉤部及び前記鉤部を改廃するための改廃部が備えた頭髪用エクステンション施術用の器具。
【請求項９】
前記スキル針の長さは頭像の屈曲に対応するように互いに異なることを特徴とする請求項８に記載の頭髪用エクステンション施術用の器具。
【請求項１０】
請求項９に記載の頭髪用エクステンション施術用の器具の各々のスキル針を請求項７に記載の頭髪用エクステンションのパッケージの各々の結び目の輪に貫通させる段階、
各々複数の毛髪を段位施術の対象体にして、スキル針１つ当り段位施術の対象体１つが対応できるようにし、施術の部位が前記スキル針の鉤の内に位置することができるように前記段位施術の対象体を配置する段階、
前記頭髪用エクステンション施術用の器具を施術の対象者の頭から遠くなるように引っ張る段階、
及び前記第１張力部材及び第２張力部材を互いに反対方向を向くように上下に引っ張る段階を含む頭髪用エクステンションの施術方法。
【請求項１１】
作業を完了した後、前記第１張力部材及び第２張力部材を取り除く段階をさらに含むことを特徴とする請求項１０に記載の頭髪用エクステンション施術用の頭髪用エクステンションの施術方法。
【発明の詳細な説明】
【技術分野】
【０００１】
本技術は、ヘアスタイルを演出するための美容分野に関し、より詳細には短縮された時間に及び容易に頭髪用エクステンションの施術ができる頭髪用エクステンションのパッケージ、頭髪用エクステンション施術用の器具及びこれらを用いた頭髪用エクステンションの施術方法に関する。
【背景技術】
【０００２】
現代社会の多様性及び文化水準の向上などによって外見に対する興味が日々増大している。特にヘアスタイルの演出は個人の外見を飾るには欠かせないことになっている。最近は個性のあるヘアスタイル演出が可能な頭髪用エクステンションの使用が増大している。
【０００３】
前記頭髪用エクステンションとは、所定の色、形、及び長さなどを有する複数の仮毛を含む鬘の一種であり、一般的に、１つの頭髪用エクステンションは前記複数の仮毛からなる１つの仮毛部を含む。前記頭髪用エクステンションは美容院などで簡単な施術を通じて人間の生毛に固定し、繋げることができる。例えば、前記頭髪用エクステンションを短い毛髪やまばらな髪の毛を持つ人に施術することで、毛髪が豊かでありながら長くて多様なスタイルを演出できる。
【０００４】
しかしながら、前記頭髪用エクステンションの施術は、上述したように１つの仮毛部を含む１つの頭髪用エクステンションを所定量の生毛に固定して繋げる１回の施術過程を、数回反復することが必要となるため、施術時間がかかるという問題点がある。
【０００５】
また、従来では、前記頭髪用エクステンションを前記生毛に固定して繋げるため、シリコンまたは接着剤などを用いる熱接着施術が行われている。しかしながら前記熱接着施術方式では生毛が熱によって損なわれ傷つけられる問題点がある。また、前記シリコンまたは接着剤が水または熱に脆弱な特性を有するため、その施術の部位で異物が取れやすくなり、または施術時と同一の状態で頭髪用エクステンションを維持することができる期間が短くなる可能性がある。また、前記熱接着施術方式では毛髪の伸縮性が低くなるため、施術の後、毛髪を洗う時、生毛と共に抜けることで脱毛が進むこともある。また、前記シリコンまたは接着剤によってその施術の部位が厚くなるため、頭皮で異物感を覚えやすくなる問題点がある。
【０００６】
この問題点を解決するため本発明者は韓国登録特許第０９８６９０６号に記載されているように、両方に仮毛部を含む新たな形態の頭髪用エクステンションおよびこれを用いた熱接着方式ではなく、結び方式の頭髪用エクステンションの施術方法を発明した。
【０００７】
しかしながら、こういう改善された方式が美容の業界で好評であるにもかかわらず、施術の時間を短縮するためのさらに改善された技術が要求されている。
【先行技術文献】
【特許文献】
【０００８】
【特許文献１】韓国登録特許第０９８６９０６号
【発明の概要】
【発明が解決しようとする課題】
【０００９】
本発明は、頭髪用エクステンションの施術時間を著しく短縮することができ、施術方法の便宜性を増大することができる頭髪用エクステンションのパッケージを提供する。
【００１０】
また、本発明は、前記頭髪用エクステンションのパッケージを施術するための施術用の器具であり、複数の頭髪用エクステンションの施術をいっぺんにすることができる頭髪用エクステンションの施術用の器具を提供する。
【００１１】
さらに、本発明は、前記頭髪用エクステンションのパッケージ及び頭髪用エクステンション施術用の器具を用い、頭髪用エクステンションを効率的に、便利に施術することができる方法を提供する。
【課題を解決するための手段】
【００１２】
本発明の一実施形態に係る頭髪用エクステンション施術用の頭髪用エクステンションのパッケージは、各々複数の仮毛からなる第１毛髪部及び第２毛髪部、一領域に所定の結び目が形成され、前記第１毛髪部及び第２毛髪部を繋げるための連結部材、及び前記第１毛髪部及び第２毛髪部の各々を前記連結部材に固定するための第１固定部材及び第２固定部材を備える複数の頭髪用エクステンションを含む。前記結び目と前記第１固定部材及び第２固定部材との間には各々隣接した頭髪用エクステンションを引っ張るための第１張力部材及び第２張力部材が繋げられている。
【００１３】
本発明の一実施形態に係る頭髪用エクステンションのパッケージは、互いに隣接した２つの頭髪用エクステンションを含むことができる。また、前記第１固定部材及び第２固定部材は磁性物質を含んでもよい。
【００１４】
前記第１張力部材及び第２張力部材は各々隣接した頭髪用エクステンションの第１固定部材の間及び第２固定部材の間に繋げることができる。これと異なって、前記第１張力部材及び第２張力部材は前記第１固定部材と前記結び目との間及び前記第２固定部材と前記結び目との間に前記連結部材に沿って移動することができる。前記第１張力部材及び第２張力部材は弾性体または糸であってもよい。
【００１５】
前記連結部材の一領域に形成されている結び目は一次的リボンの結び目からなり、また二次的に１．５回転の結び目によって３つの輪を含む二重結び目であってもよい。
【００１６】
本発明の一実施形態に係る頭髪用エクステンション施術用の器具は取っ手、及び前記取っ手の末端部から延長し、分岐された２つのスキル針を含み、前記スキル針の末端には鉤部を改廃させるための改廃部を提供する。
【００１７】
前記スキル針の長さは全部同一であることもでき、これと異なって頭像の屈曲に対応できるように互いに異なってもよい。
【００１８】
本発明の一実施形態に係る頭髪用エクステンションの施術方法は上述した頭髪用エクステンション施術用の器具のスキル針の各々を上述した頭髪用エクステンションのパッケージの結び目の各々に通過させる段階、各々複数の髪の毛を単位施術の対象体とし、スキル針１つ当り単位施術の対象体１つが対応することができるようにし、施術部位が前記スキル針の鉤の内に位置することができるように、前記単位施術の対象体を配置する段階、前記頭髪用エクステンション施術用の器具を施術の対象者の頭から遠くなるように引っ張る段階、及び前記第１張力部材及び第２張力部材を互いに反対方向を向けるように上下に引っ張る段階を含む。
【００１９】
作業の完了後、前記第１張力部材及び第２張力部材は取り除いてもよい。
【発明の効果】
【００２０】
本発明の一実施形態に係る頭髪用エクステンションのパッケージ及び頭髪用エクステンション用の施術器具を使用する場合、１回の施術で従来の４回以上の施術を代えることができ、頭髪用エクステンション施術の時間を短縮することができる。また生毛に接着、またはゴム紐などの紐で結ぶなどの追加の作業をしなくても自動に頭髪用エクステンションが生毛に結び目の形で結合することができ、簡単に頭髪用エクステンション施術ができる。
【００２１】
したがって、本発明に係る場合、頭髪用エクステンション施術が大衆的に拡大することができ、小型美容院でも簡単な教育の後に誰しも簡単に頭髪用エクステンション施術ができることが期待される。
【図面の簡単な説明】
【００２２】
【図１】本発明の一側面に係る頭髪用エクステンションのパッケージを示す概念図である。
【図２】図１の「Ａ」の部分の拡大図である。
【図３】複数の頭髪用エクステンションのパッケージが頭髪用エクステンションの据え置き用の支持台に配置されたことを示す図である。
【図４】本発明の一側面に係る頭髪用エクステンション施術用の器具を示す斜示図である。
【図５】本発明の一側面に係る頭髪用エクステンションの施術方法を概念的に説明するための斜示図である。
【発明を実施するための形態】
【００２３】
以下、添付する図を参照しながら本発明に係る頭髪用エクステンションのパッケージ、頭髪用エクステンション施術用の器具及び頭髪用エクステンションの施術方法について詳しく説明する。しかしながら、下記の説明は例示であり、特許請求の範囲に基づいて定められ、発明を実施するための最良の実施例により制限されるものではない。
【００２４】
図１を参照すれば、頭髪用エクステンションのパッケージ１０００は第１頭髪用エクステンション１００及び第２頭髪用エクステンション２００を含む。第１頭髪用エクステンション１００と第２頭髪用エクステンション２００は下述する張力部材３１０、３２０によって、引っ張るように張力部材３１０、３２０と繋げられる。
【００２５】
第１頭髪用エクステンション１００は複数の仮毛からなる集合体である第１毛髪部１１２及び複数の仮毛からなる集合体である第２毛髪部１１４を含む。前記第１毛髪部１１２及び第２毛髪部１１４は連結部材１３０によって空間的に互いに繋げられ、全体的に線形である１つの本体を含む。しかしながら、実質的に前記第１頭髪用エクステンション１００は従来の頭髪用エクステンションの２つを含むことと同様の構造を有する。本実施例で、第１頭髪用エクステンション１００は仮毛を含むが、これと異なって、鬘と同様、生毛を含んでもよい。
【００２６】
前記第１毛髪部１１２及び第２毛髪部１１４は各々前記連結部材１３０に繋げられ、固定させるため、連結部材１３０と、各々第１固定部材１２２及び第２固定部材１２４によって連結部材１３０の両末端と結合できるように固定されている。前記連結部材１３０の材料としては特に制限されないが、前記連結部材１３０が、施術の完了後にも施術の対象者の頭に残存する構成であることで、なるべく異物感が少ない材料を使用することが好ましく、例えば、糸のような非弾性体が好ましいのである。また、前記第１固定部材１２２及び第２固定部材１２４としては接着剤を含むことで、前記連結部材１３０と固定部材１２２、１２４との結合部位の容積を増加させない固定部材１２２，１２４を使用することもでき、これと異なって、別途の結束手段を使用してもよい。
【００２７】
前記固定部材１２２，１２４のうちの少なくとも１つの固定部材１２２、１２４は磁性物質を含むことができる。前記固定部材１２２，１２４が磁性物質を含む場合、頭髪用エクステンションが施術された被施術者の血液循環及び頭痛予防などに役に立つこともある。
【００２８】
前記連結部材１３０の一領域には所定の結び目１３２が形成されており、好ましくは連結部材１３０の中間に形成されることができる。前記結び目１３２の部位は第１頭髪用エクステンション１００が施術対象の部位に結束する支点である。
【００２９】
図２は図１の「Ａ」の部分の拡大図である。
【００３０】
図２を参照すれば、連結部材１３０の一領域に形成された結び目１３２はリボン結びを１次的に行うことで、発生した２つの輪、及びリボン結びが行われた後にすぐ、連接部位の連結部材１３０を、輪の形状で作ったあと、２次的に１．５回転させることで、発生した追加の１つの輪を含み、前記結び目１３２は３つの輪を形成する。すなわち、連結部材１３０は３つの輪を含む輪部１３２ｂ及び各々の結びを行うことによって形成された結び目部１３２ａを含む、前記結び目１３２は不完全な結び目として、張力などによる追加の外力によって、さらに結束することができる。
【００３１】
第２頭髪用エクステンション２００は複数の仮毛からなる集合体である第３毛髪部２１２及び、同じく複数の仮毛からなる集合体である第４毛髪部２１４を含む。前記第３毛髪部２１２及び第４毛髪部２１４は連結部材２３０によって空間的に互いに繋げられており、全体的に線形である１つの本体を含む。上述した第１頭髪用エクステンション１００と同様、前記第３毛髪部２１２及び第４毛髪部２１４の間に位置する連結部材２３０の一領域には結び目２３２が形成されている。また、前記第３毛髪部２１２及び第４毛髪部２１４は各々前記連結部材２３０に繋げられ固定されるため、連結部材２３０と各々第３固定部材２２２及び第４固定部材２２４によって連結部材２３０の両末端と結合できるように固定されている。第２頭髪用エクステンション２００は上述した第１頭髪用エクステンション１００と同じく対応するため、追加の詳しい説明は省略する。
【００３２】
一方、第１頭髪用エクステンション１００及び第２頭髪用エクステンション２００は第１張力部材３１０及び第２張力部材３２０によって互いに繋げられている。前記第１張力部材３１０は第１及び第３固定部材１２２，２２２と結び目１３２，２３２との間に繋げられ、第１頭髪用エクステンション１００と第２頭髪用エクステンションとを繋げる。
【００３３】
前記第１張力部材３１０は、各々第１固定部材１２２及び第３固定部材２２２の形成時に共に接着剤などで固定され形成することで、第１固定部材１２２及び第３固定部材２２２と繋げることができる。これと同様、第２張力部材３２０も第２固定部材１２４及び第４固定部材２２４の形成時に共に接着剤などで固定され形成されることで、第２固定部材１２４及び第４固定部材２２４と繋げてもよい。
【００３４】
これと異なって、前記第１張力部材３１０は第１固定部材１２２と結び目１３２との間及び第３固定部材２２２と結び目２３２との間に繋げることができ、さらに連結部材１３０、２３０に沿って自由に移動してもよい。同様に前記第２張力部材３２０は第２固定部材１２４と結び目１３２との間に繋げることができ、さらに連結部材１３０、２３０に沿って自由に移動してもよい。
【００３５】
前記第１張力部材３１０及び第２張力部材３２０は頭髪用エクステンション施術の最後の段階で互いに反対方向を向くように上下方向に引っ張られることで、前記結び目１３２、２３２の不完全な結び目の状態を堅固に結束させることができる。したがって、施術の最後の段階でゴム紐で結ぶことや接着剤にて処理するなどの追加の作業をしなくても簡単に生毛と頭髪用エクステンションのパッケージ１０００をいっぺんに結束させて付着してもよい。
【００３６】
前記第１張力部材３１０及び第２張力部材３２０は張力を発生させることができる材質であれば特に制限されず、例えば、プラスチック微細管または糸であってもよい。
【００３７】
本実施例では、２つの頭髪用エクステンション１００，２００を含む頭髪用エクステンションのパッケージ１０００を説明したが、本発明の技術思想はこれに制限されず、３つ以上の頭髪用エクステンションを含む拡張された構造を含む。
【００３８】
図３は複数の頭髪用エクステンションのパッケージが頭髪用エクステンションの据え置き用の支持台に配置されたことを示す図である。
【００３９】
図３を参照すれば、頭髪用エクステンションのパッケージ２０００，３０００，４０００は頭髪用エクステンション施術時、作業の効率性を極大化するため、頭髪用エクステンションの据え置き用の支持台５２，５４に据え置かれるように連続的に作業ができる。前記据え置き用の支持台５２、５４は互いに並列で平行に配置された第１支持台５２及び第２支持台５４を含む。前記頭髪用エクステンションの据え置き用の支持台５２，５４は２つの長い菅の形を有し、頭髪用エクステンションのパッケージ１０００の円滑な移動のため、前記第１支持台５２及び第２支持台５４の垂直切断面は円の形状であることが好ましい。本実施例で、前記第１支持台５２は前記頭髪用エクステンションのパッケージ１０００の結び目３３２の輪部３３２ｂが内部を貫通し、前記第２支持台５４は前記頭髪用エクステンションのパッケージ１０００の結び目４３２の輪部４３２ｂが内部を貫通する。前記頭髪用エクステンションのパッケージ１０００の結び目４３２の輪部４３２ｂが内部を貫通する。前記頭髪用エクステンションのパッケージ１０００，２０００，３０００は前記頭髪用エクステンションの据え置き用の支持台５２，５４の長さの方向に沿って移動することができる。
【００４０】
図４は本発明の一側面に係る頭髪用エクステンション施術用の器具を示す斜示図である。
【００４１】
図４を参照すれば、頭髪用エクステンション施術用の器具５００は取っ手５１０及び前記取っ手の末端部から延長されたスキル針５２０を含む。前記スキル針５２０は分岐された第１スキル針５２２及び第２スキル針５２４を含む。一方、前記第１スキル針５２２の末端には鉤の形状の鉤部５２２ａ及び前記鉤部５２２ａを改廃するための改廃部５２２ｂを含む。同様で、前記第２スキル針５２４の末端には鉤の形状の鉤部５２４ａ及び前記鉤部５２４ａを改廃するための改廃部５２４ｂを含む。
【００４２】
頭髪用エクステンション施術時、前記鉤部５２２ａ及び鉤部５２４ａの内部には各々施術の対象毛髪が挿入され、スキル針５２２，５２４の個数だけいっぺんに頭髪用エクステンションの施術が行われる。前記改廃部５２２ｂ、５２４ｂは頭髪用エクステンションの施術時、取っ手を被施術者から遠くなるように取っ手を引っ張る場合、開きながら内部にある生毛が排出される際、スキル針５２２、５２４に既に掛かっていた頭髪用エクステンションのパッケージ(未図示)の結び目(未図示)と結束される。
【００４３】
頭髪用エクステンションの施術者は作業の前、上述した頭髪用エクステンション据え置き用の支持台５２，５４に掛かっていた頭髪用エクステンションのパッケージ２０００の第１輪部３３２ｂを貫通するように第１スキル針５２２を通過させ、第２輪部４３２ｂを貫通するように第２スキル針５２４を通過させることで、作業を準備する。
【００４４】
前記第１スキル針５２２の長さ(Ｈ２)及び第２スキル針５２４の長さ(Ｈ３)は互いに同一か異なることがあり、特にスキル針５２２、５２４の個数が２つを超過する実施例では被施術者の頭状の屈曲を反映し、スキル針５２２、５２４の長さ(Ｈ２、Ｈ３)が互いに異なってもよい。
【００４５】
一方、詳しく示さなかったが、前記第１スキル針５２２及び第２スキル針５２４を長さの方向に沿って移動できる構造で設計することで、前記スキル針５２２，５２４の長さを可変的に調節することができる。
【００４６】
一方、第１スキル針５２２及び第２スキル針５２４の間隔(Ｈ１)は特に制限されないが、頭髪用エクステンションの密度または施術する頭髪用エクステンションの個数によって調節することができる。
【００４７】
図５は本発明の一側面に係る頭髪用エクステンションの施術方法を概念的に説明するための斜示図である。
【００４８】
図５を参照すれば、まず、頭髪用エクステンション据え置き用の支持台５２，５４などに据え置かれた頭髪用エクステンションのパッケージ５０００の第１結び目６３２及び第２結び目６３４の輪部の内部を貫通するように頭髪用エクステンション施術用の器具７００の第１スキル針７２２及び第２スキル針７２４に各々掛ける。ここで、前記第１結び目６３２及び第２結び目６３４は不完全な結びの状態で、前記第１スキル針７２２及び第２スキル針７２４の長さの方向に沿って、自由に移動できないといけない。
【００４９】
つづいて、前記第１スキル針７２２の鉤部７２２ａの内部及び第２スキル針７２４の鉤部７２４ａの内部に複数の毛髪からなる段位施術の対象体の毛髪８１０、８２０を各々挿入させる。ここで、挿入された毛髪の部位は頭髪用エクステンションが結合する施術の部位になるように位置させる。
【００５０】
上述したように準備が整った後、頭髪用エクステンション施術の器具７００の取っ手７１０を施術の対象者の頭から遠くなるように引っ張る。このように取っ手７１０が引っ張られれば、改廃部７２２ｂ、７２４ｂが開きながら段位施術の対象体の毛髪８１０と結び目６３２、６３４とが一次結束される。つづいて、第１張力部材６１０及び第２張力部材６２０を互いに反対方向を向くように上下方向で張力が発生するように引っ張れば、ゆるい状態の結び目６３２、６３４が生毛と強く２次結束される。したがって、ゴム紐や接着剤などの追加の結束手段がなくても完全に頭髪用エクステンションのパッケージ５０００が２つの段位施術の対象体の毛髪８１０、８２０と結束される。したがって、一回の施術で従来の４つの頭髪用エクステンションを簡単に施術することができる。
【００５１】
本実施例で、作業を完了した後、前記第１張力部材６１０及び第２張力部材６２０は頭に異物感または前記張力部材６１０，６２０が外部に露出されることを防ぐために取り除かれる。
【符号の説明】
【００５２】
１００・・・第１頭髪用エクステンション、１２２・・・第１固定部材、１２４・・・第２固定部材、１３０・・・連結部材、２００・・・第２頭髪用エクステンション、２２２・・・第３固定部材、２２４・・・第４固定部材、２３０・・・連結部材、３１０・・・第１張力部材、３２０・・・第２張力部材、
５００・・・器具、５２０・・・スキル針、５２２・・・第１スキル針、５２４・・・第２スキル針、６１０・・・第１張力部材、６２０・・・第２張力部材、７００・・・器具、７２２・・・第１スキル針、７２４・・・第２スキル針、８１０・・・毛髪。
【図１】
2012167390.tif 000003
【図２】
2012167390.tif 000004
【図３】
2012167390.tif 000005
【図４】
2012167390.tif 000006
【図５】
2012167390.tif 000007